(57)【要約】本発明の一実施形態によれば、プッシュプルケーブル装置は、第１の直径を有するロッドと、このロッドに隣接して配置されたコアとを有し、このコアが第２の直径を有し、また、この第１の直径と第２の直径が実質的に等しいプッシュプルケーブル接続部を含む。本発明の別の実施形態によれば、プッシュプルケーブル接続部を製造する方法は、ロッドを設けることと、このロッド内に第１の座ぐり穴を形成することと、このロッド内に第２の座ぐり穴を形成することと、第１の座ぐり穴に第２の層を挿入することと、第２の層をコアジャケットで囲むことと、このコアジャケットの一部を、コアジャケットの長さ方向に沿って除去することとを含む。【選択図】  図１
2009521656.tif 000002
【特許請求の範囲】
【請求項１】
第１の直径を有するロッドと、
前記ロッドに隣接して配置されたコアと、
を備え、前記コアは第２の直径を有し、また、前記第１の直径と前記第２の直径は実質的に等しい、プッシュプルケーブル接続部。
【請求項２】
前記ロッドと前記コアは同軸である、請求項１に記載のプッシュプルケーブル接続部。
【請求項３】
前記ロッドは、前記コアに結合されている請求項１に記載のプッシュプルケーブル接続部。
【請求項４】
前記コアは、複数のスプラインを備える請求項１に記載のプッシュプルケーブル接続部。
【請求項５】
前記コアは、
前記ロッドと同軸の中心と、
前記中心の周りに巻き付いている複数のワイヤと、
前記複数のワイヤを閉じ込めるコアジャケットであって、前記コアジャケットは、前記コアジャケットの周辺部に離間している複数のスプラインを有し、前記コアジャケットは、前記第１の直径と実質的に等しい前記第２の直径を有する、コアジャケットと、
を備える請求項１に記載のプッシュプルケーブル接続部。
【請求項６】
前記中心、前記複数のワイヤおよび前記コアジャケットは前記ロッドに結合されている請求項５に記載のプッシュプルケーブル接続部。
【請求項７】
前記ロッドは、それぞれ前記ロッド内に設けられた第１の座ぐり穴と第２の座ぐり穴とを有し、
前記中心は、前記ロッドに隣接して設けられ、
前記複数のワイヤは、前記中心の周りに巻き付けられており、
前記コアジャケットは前記複数のワイヤを閉じ込め、前記コアジャケットは、複数のスプラインを備え、前記コアジャケットの直径は、前記ロッドの直径と実質的に等しい、請求項５に記載のプッシュプルケーブル接続部。
【請求項８】
前記スプラインの高さが、前記スプラインの先端から前記中心の中間部までの長さの１０％以上である請求項７に記載のプッシュプルケーブル装置。
【請求項９】
前記第１の座ぐり穴は第１の直径を有し、前記第２の座ぐり穴は、第２の直径を有する請求項７に記載のプッシュプルケーブル装置。
【請求項１０】
前記第１の直径は、前記第２の直径よりも小さく、前記第１の直径は、第２の層の直径と実質的に等しい請求項９に記載のプッシュプルケーブル装置。
【請求項１１】
前記中心は、前記第１の座ぐり穴に挿入されている請求項７に記載のプッシュプルケーブル装置。
【請求項１２】
前記コアジャケットの一部が、前記第２の座ぐり穴に挿入されている請求項７に記載のプッシュプルケーブル装置。
【請求項１３】
プッシュプルケーブル接続部を製造する方法であって、
ロッドを設けることと、
第１の座ぐり穴を前記ロッド内に形成することと、
第２の座ぐり穴を前記ロッド内に形成することであって、前記第２の座ぐり穴が第１の直径を有することと、
第２の層を前記第１の座ぐり穴に挿入することと、
前記第２の層をコアジャケットで包囲することと、
前記コアジャケットの周辺部を前記コアジャケットの長手方向に沿って取り除くことであって、前記コアジャケットの残りの周辺部が、前記第１の直径と実質的に等しい第２の直径を有することと、
を備える方法。
【請求項１４】
前記コアジャケットの長手方向を前記第２の座ぐり穴に挿入することをさらに備える請求項１３に記載の方法。
【請求項１５】
複数のワイヤが、前記中心と前記コアジャケットの間に配置されている請求項１３に記載の方法。
【請求項１６】
前記複数のワイヤは、前記中心の周りに巻き付いている請求項１５に記載の方法。
【請求項１７】
前記ロッドの前記第１の直径は、前記コアジャケットの前記第２の直径と実質的に等しい請求項１３に記載の方法。
【請求項１８】
前記ロッドと前記中心は同軸である請求項１３に記載の方法。
【請求項１９】
プッシュプルケーブル接続システムであって、
第１の支持手段と、
前記第１の支持手段に隣接して配置された第２の支持手段と、
を備え、前記第１の支持手段は第１の直径を備え、前記第２の支持手段は第２の直径を備え、前記第１の直径と前記第２の直径は実質的に等しい、プッシュプルケーブル接続システム。
【請求項２０】
前記第１の支持手段と前記第２の支持手段は同軸である、請求項１９に記載のプッシュプルケーブルシステム。
【請求項２１】
前記第１の支持手段は、前記第２の支持手段に結合されている請求項１９に記載のプッシュプルケーブルシステム。
【請求項２２】
前記第２の支持手段の一部が、前記第１の支持手段に挿入されている請求項１９に記載のプッシュプルケーブルシステム。
【発明の詳細な説明】
【技術分野】
【０００１】
本発明は、一般に、ケーブルに関する。より具体的には、本発明は、プッシュプルケーブルに関する。
【背景技術】
【０００２】
プッシュプルケーブルは、通常、自動トランスミッションシフター、機械ラッチ、油圧弁制御操作及び他の多くの装置に含まれている。自動トランスミッションシフトケーブル等の典型的なプッシュプルケーブルは、ケーシングの内部の１つ以上の構成要素の前後動を可能にする。プッシュプルケーブルは、プッシュプルケーブルの一端におけるアクチュエータからの圧縮力及び張力をプッシュプルケーブルの他端における受部へ伝達する。
【０００３】
プッシュプルケーブルとアクチュエータとの間の典型的な動作は、いくつかの理由のために問題になる可能性がある。プッシュプルケーブルの構成要素は、良好に支持されていない可能性があり、また、使用時に曲がる可能性がある。また、アクチュエータとケーブルとの間に伝達することのできる圧縮力の量は、限定される可能性がある。汚染物質がケーブルに入って、ケーブルの動作を妨げる可能性もある。
【０００４】
図４は、従来技術によるコア８４の断面図である。コア８４は、管状コアジャケット９０内に閉じ込められたより線８８によって囲まれている中心ワイヤ８６を含む。コアジャケット９０は、外縁部に離間しているスプライン９２を有する。スプライン９２の間には、ギャップ９４がある。管状の導管９６は、コア８４を収容する。
【０００５】
従来技術によるスプライン９２及びギャップ９４は小さい。いくつかのケーブルシステムは、所定の直径で導管９６内にあるケーブルによって伝達することのできる力の量を最大化するために、小さなスプラインを要する可能性がある。
【０００６】
図５は、従来技術による、コア８４とロッド９８の接合部９７の詳細図である。具体的には、コア８４は、従来技術に従って、ロッド９８の一端に挿入されている。第１の座ぐり穴１００が、ロッド９８内に長さＡで形成されている。第２の座ぐり穴１０２が、ロッド９８内に長さＢで形成されている。この第２の座ぐり穴１０２は、コア８４の直径と実質的に等しい直径を有する。従って、コア８４の直径は、ロッド９８内の穴の直径よりも小さいため、コア８４の全周辺部は、ロッド９８によって取り囲まれている。
【０００７】
プッシュプルケーブルのアクティブ部材は、ロッド等の硬い部材と、コア等のフレキシブル部材とである。この硬い部材及びケーブル接続部は、硬い部材とフレキシブルコアとの間で力を伝達する手段を形成するため、重要である。加えて、この接続部は、汚染物質がプッシュプルケーブルに入るのを遮断しなければならない。汚染物質は、プッシュプルケーブルの動作を妨げるだけではなく、ケーブルを腐食する可能性もある。
【０００８】
従って、ケーブルとアクチュエータを接続するプッシュプルケーブル及び接続装置、およびプッシュプルケーブル及びコネクタの実用性を拡大する装置を製造する方法を提供することが望ましい。また、伝達することのできる圧縮力の量を増加させることが可能なプッシュプルケーブルコネクタ装置を提供することが望ましい。加えて、良好に支持されており、かつ有効に機能するプッシュプルケーブルを提供することが望ましい。さらに、ケーブルに入る汚染物質の量を低減またがなくすプッシュプルケーブル及び接続装置を提供することが望ましい。従って、上述した特徴のうちの少なくともいくつかを実行すると共に、製造及び組立てが容易なプッシュプルケーブル及び接続装置を提供することが望ましい。
【発明の開示】
【発明の概要】
【０００９】
これらの必要性が、本発明によってかなりの程度まで達成され、１つの態様においてが、いくつかの実施形態において、構成要素が良好に支持されているプッシュプルケーブルを実現でき、伝達される圧縮力の量を増加させ、ケーブルに入る汚染物質の量を低減またがなくすことができると共に、製造するのが容易である装置が提供される。
【００１０】
本発明の一実施形態によれば、プッシュプルケーブル接続部が、第１の直径を有するロッドと、このロッドに隣接して配置されたコアとを含み、このコアは、第２の直径を有し、この第１の直径と第２の直径が、実質的に等しい。
【００１１】
本発明の別の実施形態によれば、コアが、このロッドと同軸の中心と、この中心の周りに巻き付けられた複数のワイヤと、この複数のワイヤを閉じ込めるコアジャケットとを含み、このコアジャケットが、前記第１の直径と実質的に等しい第２の直径を有する。
【００１２】
本発明のまた別の実施形態によれば、ロッドが、中心がこのロッドに隣接して配置され、複数のワイヤがこの中心に巻き付けられており、このロッド内に設けられた第１の座ぐり穴および第２の座ぐり穴と、この複数のワイヤを閉じ込めるコアジャケットとを有し、このコアジャケットが、複数のスプラインを含み、コアジャケットの直径が、ロッドの直径と実質的に等しい。
【００１３】
本発明の別の実施形態によれば、プッシュプルケーブル接続部を製造する方法が、ロッドを設けることと、第１の座ぐり穴をこのロッド内に形成することと、第２の座ぐり穴をこのロッド内に形成することであって、この第２の座ぐり穴は第１の直径を有することと、中心をこの第１の座ぐり穴に挿入することと、この中心をコアジャケットで包囲することと、このコアジャケットの周辺部をコアジャケットの長手方向に沿って取り除くことであって、このコアジャケットの残りの周辺部が、この第１の直径と実質的に等しい第２の直径を有することとを含む。
【００１４】
本発明のまた別の実施形態によれば、プッシュプルケーブルシステムが、第１の支持手段と、この第１の支持手段に隣接して配置された第２の支持手段とを含み、この第１の支持手段が、第１の直径を備え、この第２の支持手段が、第２の直径を備え、この第１の直径と第２の直径が、実質的に等しい。
【００１５】
以上、本願明細書の詳細な説明をよく理解できるように、また本発明の当該技術への寄与を正しく認識できるように、本発明のいくつかの実施形態を大まかに説明してきた。当然、以下に説明され、また添付クレームの内容を構成する本発明の追加的な実施形態もある。
【００１６】
この点において、本発明の少なくとも１つの実施形態を詳細に説明する前に、本発明が、この適用において、以下の説明に記載された、あるいは、図面に示された構成要素の構成の詳細及び配置に限定されないことを理解すべきである。本発明は、記載されている実施形態に加えて、様々な方法で実施及び実行される実施形態が可能である。また、本願明細書において用いられている表現及び専門用語、および要約が、説明を目的とするものであり、限定するものと見なすべきではないことを理解すべきである。
【００１７】
従って、当業者は、この開示が基とする構想を、本発明のいくつかの目的を実行するための他の構造、方法及びシステムのデザインのためのベースとして容易に利用できることを正しく理解するであろう。従って、クレームは、等価の構成が本発明の趣旨及び範囲から逸脱しない限りにおいて、このような等価の構成を含むものと見なされることが重要である。
【詳細な説明】
【００１８】
次に、本発明を、図面を参照して説明するが、同様の参照数字は、全図を通して同様の部材を指す。本発明による実施形態は、プッシュプルケーブル内のロッドとコアとの間のプッシュプルケーブル接続部を提供する。本発明のいくつかの実施形態においては、プッシュプルケーブルの構成要素が、良好に支持されており、このことは、支持されていないデザインと比較して、伝達される圧縮力の量を増加させ、また、ケーブルに入る汚染物質の量を低減またはなくすことができると共に、製造を容易にする。
【００１９】
開示したプッシュプルケーブル及び関連する接続装置は、幅広い用途を有するが、海上船舶で使用されるプッシュプルケーブル及び接続装置に関してさらに論じる。本発明の実施形態によるプッシュプルケーブルを有する海上船舶のオペレータは、例えば、限定するものではないが、プッシュプルケーブルに接続された操舵輪等のオペレータ作動手段によって船舶の舵を取ることができる。プッシュプルケーブル内のコアが、この海上船舶上の操舵輪によって軸方向に移動可能である。また、このコアを動かす他の手段を用いてもよい。このコアに結合されたロッドが、コアに軸方向作動力を伝える。ロッド及びコアは、プッシュプルケーブル内に滑動可能に設けられている。
【００２０】
図１は、本発明の実施形態によるロッド１２及びコア５０からなるプッシュプルケーブル接続部１０を示す側面図である。プッシュプルケーブル接続部１０には、第１の端部１４及び第２の端部１６を有するロッド１２がある。第１の端部１４には、ロッド１２を、操舵輪または絞り制御(図示せず)等のオペレータ作動手段に結合できるようにするねじ山１７がある。ロッド１２は、炭素鋼、ステンレス鋼または他の適切な材料から製造することができる。本発明のいくつかの実施形態において、ロッド１２は、円筒形状である。ロッド１２の一部が、スイベルスリーブ１８内に収容されている。
【００２１】
ロッド１２の第１の端部１４のねじ山１７は、ロッド１２を動力源（図示せず）に接続する。この動力源は、軸方向の動きをロッド１２に伝達することができる。また、動力源は、ノブ、ケーブル、油圧または空圧シリンダ等からプッシュプルケーブル接続部１０へのどのような力の入力であってもよい。
【００２２】
ロッド１２は、ロッドシール２４を介してプッシュプルケーブル接続部１０に入り、スイベルスリーブ１８によって包囲される。ロッドシール２４は、プッシュプルケーブル接続部１０を、水等の汚染物から保護してプッシュプルケーブル接続部１０に入るのを防ぐ。ロッドシール２４の接合部が、ロッド１２が作動したときに、このロッドとスイベルスリーブ１８が離れることを防ぐ。スイベルスリーブ１８は、第１の端部２０と第２の端部２２とを有する。スイベルスリーブ１８は、この第２の端部２２がハブ２６内に配置される。スイベルスリーブ１８の第２の端部２２は、外側に広がり、その後、ハブ２６に係合するために、スイベルスリーブ１８の元の径に戻っている。
【００２３】
ハブ２６は、第１の端部２８と第２の端部３０とを有する。ハブ２６は、形状が管状であり、開口部がハブ２６の全長に沿って軸方向に伸びている。スリーブ溝３２及びコア溝３４がハブ２６上に設けられている。コア溝３４は、コア５０のための支持を提供し、コア５０の余計な動きを防ぐ。スリーブ溝３２は、スイベルスリーブ１８の第２の端部２２に係合する。スリーブ溝３２は、スイベルスリーブ１８を接続部１０内に保持する。スイベルスリーブ１８は、ハブ２６から同軸に伸びている。
【００２４】
スリーブシール３６が、スイベルスリーブ１８とハブ２６との接合部を包囲する。具体的には、スリーブシール３６の第１の端部３８が、スイベルスリーブ１８に付着され、スリーブシール３６の第２の端部４０が、ハブ２６に付着されている。このようにして、スリーブシール３６は、スイベルスリーブ１８とハブ２６の位置合わせ（alignment）を保ち、スイベルスリーブ１８とハブ２６の接合部に汚染物質が入るのを防ぐ。
【００２５】
ハブ２６の第２の端部３０方向には、導管４４がハブ２６内に設けられている。導管４４は、第１の端部４６と第２の端部４８とを有する。ハブ２６は、導管４４と、ねじ切り接続部とを結合させる。本発明の他の実施形態においては、ハブ２６と導管４４を、圧入接続または他の何らかの適切な手段を用いて接続することができる。導管４４の第１の端部４６が、コア溝３４に隣接した位置にある。導管４４内には、第１の端部５２及び第２の端部５４を有するコア５０が収容されている。コア５０は、圧入接続または他の何らかの適切な接続によってロッド１２に結合することができる。具体的には、コア５０の第１の端部５２は、ロッド１２の第２の端部１６に付着される。コア５０とロッド１２の間の接続は、図３に関してより詳細に図示及び説明する。
【００２６】
図２は、図１の線２−２に沿った断面図である。コア５０がより詳細に示されている。コア５０は、円筒形中心５６を有する。この中心５６は、例えば、亜鉛めっき鋼ＡＩＳＩ  １０５５等のスチールから製造することができる。これは、引張荷重及び圧縮荷重の両方を支持することが可能である。また、中心５６は、コアより線５８とも呼ばれるいくつかのワイヤによって囲まれている。
【００２７】
コアより線５８は、一連の個々が独立したワイヤを含む。コアより線５８は、らせん状パターンで中心５６の周りに巻き付いている。このらせん状パターンは、コア５０をたわませ、および曲げることを可能にする。中心５６に隣接して、コアより線５８の第１の列６２がある。エポキシ、絶縁体または潤滑剤からなる薄層を、中心５６と第１の列６２の間に設けてもよい。
【００２８】
同様に巻き付けられたワイヤの第２の列６４も見られる。この第２の列６４は、第１の列６２に隣接している。第２の列６４は、第１の列６２よりも多いコアより線５８を含み、中心５６からさらに離れている。エポキシ、絶縁体または潤滑剤からなる薄層を、第１の列６２と第２の列６４の間に設けてもよい。
【００２９】
２つの列が図示されているが、プッシュプルケーブル接続部１０に対するサイズ要件により、ワイヤからなるいくつかの列を用いてもよく、あるいは、１列のみを用いてもよい。いくつかの実施形態においては、８〜１６のコアより線５８を第１の列６２に用いることができる。また、９〜１５のコアより線５８を用いてもよい。他の実施形態は、第２の列６４に対して、１４〜２２のコアより線５８を用いる。また他の実施形態は、第２の列６４に対して、１５〜２１のコアより線５８を用いることができる。さらに他の実施形態は、具体的な用途に従って、より多くのまたはより少ないより線を用いることができる。当業者及びこの開示を有する者は、具体的な用途に対して、適切な数のより線を選択することができるであろう。
【００３０】
コアより線５８は、任意の材料から形成することができる。実施例は、金属、セラミックまたはポリマーを含む。このコアより線５８は、スチール、好ましくは、ＡＩＳＩ１０６５等の亜鉛めっき鋼で形成することができる。円形断面を有するように図示されているが、コアより線５８は、必要に応じて、どのような断面形状も有することができ、また、様々なコアより線５８に対して様々なサイズを有することができる。また、コアより線５８の巻き付けのらせん形状は、右巻きでも左巻きでもよい。第１の列６２及び第２の列６４、または、後に続く列は、交互にらせん状に巻き付けることができる。
【００３１】
また、コアより線５８は、コアジャケット６６によって取り囲まれている。コアジャケット６６は、概して管状形状を有する。このコアジャケットの外縁部には、複数のスプライン６８が周囲に離間している。スプライン６８の間には、くぼみまたはギャップ７０がある。スプライン６８は、コア５０及びコアより線５８をプッシュプルケーブル接続部１０内に位置決めするのに役に立つ。コアジャケット６６は、任意の材料から製造することができる。ナイロン、具体的には、ナイロン１１またはナイロン６６が特に適している。
【００３２】
導管４４は、コア５０を取り囲んでいる。導管ライナ７２が、コアジャケット６６から外側に放射状に広がっている。管状の導管ライナ７２は、ポリマーから形成することができる。複数のワイヤを備える導管より線７４が、導管ライナ７２の外側にある。これらの導管より線７４は、機能に関してコアより線５８と同じであり、導管ライナ７２を強化する。導管より線７４は、スチールまたは他の適当な材料で形成することができる。
【００３３】
導管より線７４は、管状導管ジャケット７８内に収容されている。導管ジャケット７８は、導管より線７４を覆って押し出されており、プッシュプルケーブル接続部１０に対して、追加的な強度及び保護をもたらす。さらに、導管ジャケット７８は、導管より線７４のための保護をもたらし、導管４４のための追加的な圧縮強度をもたらす。
【００３４】
図３は、プッシュプルケーブル接続部１０の詳細図である。ここでは、ロッド１２の直径およびコア５０の直径が実質的に同じであることは明白である。いくつかの実施形態において、これら２つの直径は等しい。ロッド１２は、第１の座ぐり穴８０及び第２の座ぐり穴８２を有する。この座ぐり穴８０及び８２は、ステップドリル、または、穴を形成する他の何らかの適切な手段を用いて形成することができる。
【００３５】
第１の座ぐり穴は長さＸを有しており、第２の座ぐり穴は長さＹを有する。さらに、第１の座ぐり穴８０が、第２の座ぐり穴８２よりも小さな直径を有する。具体的には、第１の座ぐり穴８０の直径は、第２の層６４の直径とほぼ等しい。
【００３６】
プッシュプルケーブル接続部１０を形成する際、コアジャケット６６は、第２の層６４から取り除かれて、長さＸに等しい長さの第２の層６４が露出される。次いで、コアジャケット６６の外周部が、Ｙに等しい長さだけコア５０から取り除かれる。長さＹのコアジャケット６６の残りの周辺部を有するコア５０の直径は、第２の座ぐり穴８２の直径に等しい。
【００３７】
いくつかの実施形態において、コア５０は、ロッド１２に挿入され、その結果、（コアジャケット６６が長さＸだけ取り除かれている状態の）第２の層６４は、第１の座ぐり穴８０に入って、金属製ロッド１２と金属間接触を形成する。この金属間接触は、強力な接続を形成する。コアジャケット６６の一部が長さＹだけ取り除かれている状態の残りのコア５０は、その後、挿入されて、第２の座ぐり穴８２と接触し、ロッド１２が長さ（Ｘ＋Ｙ）だけコア５０を閉じ込めることを可能にする。そして、コアジャケット６６の一部が除去されていない、コア５０の残りの長さＺは、ロッド１２の第２の端部１６に当接する。
【００３８】
再び、図２を参照すると、本発明の実施形態のスプライン６８及びギャップ７０はより大きく、場合によっては、スプラインの先端からコア５０の中心までの長さの１０％以上である。本発明の実施形態において、コアジャケット６６は、ロッド１２の直径と同じ直径を有するコア５０を形成するように押し出される。スプライン６８ははっきりしており、続いて、ギャップ７０がより大きい。スプライン６８の間のギャップ７０は、空気が占めている。この空気は、コア５０がプッシュプルケーブル接続部１０内を動く際に、コア５０と共に移動する。大きなサイズのスプライン６８は、この空気の動きを容易にし、また、ジャケット６６がプッシュプルケーブル接続部１０内で動く際に、この空気が、スイベルスリーブ１８内で圧縮されるのを低減し、または防ぐ。
【００３９】
また、この空気の動きは、汚染物質がプッシュプルケーブル接続部１０内に引き込まれるのを低減し、または防ぐ。いくつかのケーブルアセンブリにおいて、コア８４が導管９６内で軸方向に移動すると、コア８４の動きは、スリーブ１８内のロッドの直径１２とコアの直径５０との間のギャップ内に存在する空気により、高圧及び低圧の領域を生じうる。ロッド１２とコア５０の直径の差は、このような低圧真空を生成する可能性があり、汚染物質が引き込まれる可能性がある。しかし、本発明のいくつかの実施形態においては、ギャップ７０は大きく、空気が、ケーブルの一端から他端へ容易に移動できるようにし、低圧領域の生成を低減し、またはなくす。従って、汚染物質が引き込まれる可能性はほとんどないか、あるいは全くない。
【００４０】
より大きなスプライン６８は、小さなスプラインによって生じるポンピング動作を低減するかまたはなくすが、このより大きなスプラインは、スプライン６８外縁に表面の高さが低い領域（low surface area）を有するため、コア５０と導管４４の間の摩擦量も低減する。この表面の高さが低い領域（low surface area）は、コア５０と導管４４の間の接触の量を低減する。スプライン６８の高さは、０．０１〜０．０６インチとすることができる。本発明の実施形態において、スプラインの高さは、０．０３インチとすることができる。
【００４１】
本発明の好適な実施形態において、コア５０の直径は、スプライン６８のサイズを増加させることによって増加させることができる。しかし、コア５０のどの構成要素も、コア５０のサイズを増大させるのに利用することができる。例えば、中心５６の直径を増大させてもよい。また、コアより線５８の数またはサイズも、コアより線５８の追加的な列を設けることにより、または、コアより線５８のサイズを増大させることによって増加させることができる。
【００４２】
本発明の多くの特徴及び効果は、上記の詳細な説明から明白であり、従って、添付のクレームにより、本発明の真の趣旨及び範囲に含まれること、および本発明のこのような全ての特徴及び効果をカバーすることが意図されている。さらに、当業者には、多くの変更例及び変形例が容易に思い浮かぶであろうから、本発明を、図示され、かつ記載されている構成及び作用に限定することは好ましくなく、従って、全ての適切な変更例及び等価物は、本発明の範囲内に含まれる。
【図面の簡単な説明】
【００４３】
【図１】本発明の実施形態によるロッド及びコアのプッシュプルケーブル接続部を示す側面図である。
【図２】図１の線２−２に沿った断面図である。
【図３】本発明によるロッド／コア接合部の詳細図である。
【図４】従来技術によるコアの断面図である。
【図５】従来技術によるロッド／コア接合部の詳細図である。
【図１】
2009521656.tif 000003
【図２】
2009521656.tif 000004
【図３】
2009521656.tif 000005
【図４】
2009521656.tif 000006
【図５】
2009521656.tif 000007
【国際調査報告】
2009521656.tif 000008